(57)【特許請求の範囲】
【請求項１】
外壁パネル間の目地に防水処理を施すための目地の防水装置であって、
該防水装置は外壁パネルと、帯状板材からなる止水プレートと、該止水プレートを前記外壁パネルに装着するためのガスケットと、から構成され、
前記ガスケットは側面に開口を備え、断面がコの字形状のガスケット基部と、該ガスケット基部における対向する内側面それぞれから突出する可撓性の止水ビードとから構成され、前記ガスケット基部における開口が前記外壁パネルの側端方向を向いて前記外壁パネルの側端近傍に固着され、
前記外壁パネルは前記ガスケット同士が対向する位置に配設され、
前記止水プレートは、幅方向中央部が幅方向両端部よりも室内側に位置するように湾曲しており、前記止水ビードを屈曲させた状態で、対向する位置に配置された前記ガスケットに挿入されることにより前記ガスケットに装着されていることを特徴とする目地の防水装置。
【請求項２】
前記ガスケット基部における対向する前記内側面それぞれから突出する前記止水ビードは、前記内側面間の距離の半分以上の長さで、かつ前記内側面間の距離よりも短い長さで突出して形成されることを特徴とする請求項１に記載の目地の防水装置。
【発明の詳細な説明】
【０００１】
【発明の属する技術分野】
本発明は目地の防水装置に係り、特に建物の外壁パネルにおける目地の防水処理をガスケットを備えた外壁パネルと止水プレートを用いて行うための目地の防水装置に関する。
【０００２】
【従来の技術】
住宅等の建物を建設するにあたっては、工場においてできるだけ部品完成度を高め、建築現場での作業項目を減少させるためにパネル工法の導入が進められている。例えば、パネル工法による建物の外壁は、複数の外壁パネルを所定位置に配列することにより形成されるものである。そして、このように形成された外壁は、隣接する各外壁パネル間の目地に防水処理を施す必要がある。
【０００３】
目地の防水処理方法として、現場で目地内にコーキング材を充填する方法がある。この方法は、先ず目地内に発泡ウレタンゴム等で形成されたバックアップ材を目地表側から所定位置にまで圧入し、プライマーを塗布する。次いでコーキング材を目地表側から充填し、最後にコーキング材の表側をへら等で整形するものである。バックアップ材は、目地の幅寸法よりも幅広の断面を有し、目地内に圧入されることで圧縮変形し、自己保持を行う。バックアップ材は隣接する外壁パネルを弾性をもって保持し、小口面における衝撃を吸収してコーキング材の二面接着を確保するとともに、コーキング材の目地裏側への流出を防止するものである。
【０００４】
しかし、目地にコーキング材を充填して目地処理を行う技術では、バックアップ材の圧入作業や、プライマ−の塗布作業、コーキング材の充填作業及びコーキング材の整形作業等の多くの作業が必要とされ、高い施工効率性を得ることができなかった。特に、バックアップ材の圧入作業については、バックアップ材を外壁パネルの厚み方向に押し込み過ぎると目地裏から脱落してしまうことがあり、熟練が必要とされていた。また、プライマーの塗布やコーキング材の充填作業には施工可能な時間や養生時間等の制約がある。
【０００５】
上記目地へコーキング材を充填する方法の他、目地の防水処理をより簡単に行うために、予め合成樹脂等で形成された乾式目地ガスケットを目地内に挿入する乾式防水工法がある。乾式目地ガスケットは、目地幅よりも幅寸法の大きな係合部を有しており、この係合部を目地へ圧入することにより目地を充填するものである。このように乾式目地ガスケットは目地に挿入するだけで目地における防水処理を行うことができるため、熟練を必要とすることなく、作業性を向上させることができる。
【０００６】
しかし、乾式目地ガスケットを目地に挿入して防水処理を行う方法では、目地の幅に応じた定型のものを用いるため、外壁パネルを取付ける際に目地の幅に誤差が生じた場合に対応できないという問題点があった。
【０００７】
また、従来の目地の防水処理においては、コーキング材を使用する場合でも、或いは乾式目地ガスケットを使用する場合でも、作業を外壁パネルの表側、すなわち建物の外側から行っているため、建物の外側に少なくとも作業者が作業可能な作業空間を確保する必要があった。しかし近年の、特に都市部における建築物の密集化に伴い、建築物同士の立地間隔が狭く、建物の表側に作業空間を確保するのが難しいという問題があった。さらに、目地処理作業を建物の上層階において行うには、外壁表側に作業足場を架設したり、あるいは移動式の作業足場を配置するためにより広いスペースが必要とされる。
【０００８】
上記問題点を解決するため、目地構造を改良した技術が提案されている。例えば、図１３，図１４に示す目地材１０２がある。図１４に示すように、目地材１０２は、概略的には、目地基材１０６、シーリング材１０８、芯材１１０、及び蓋体１１２から構成されている。そして、図１３に示すように、目地基材１０６における両側板１１４，１１４間の口部１１６に、それらの両側板１１４，１１４間に充填したシーリング材１０８の流出を抑止するための蓋体１１２を嵌挿している。
【０００９】
そして、シーリング材１０８を充填した状態で目地基材１０６を建物の外壁パネル２０の内側から目地溝口部内に押入した後に、目地基材１０６の両側板１１４，１１４間に芯材１１０を圧入することで、目地基材１０６が目地溝の両内側壁Ｗ間に強固に係止され、芯材１１０の圧入に伴って、目地基材１０６の側板１１４に穿設された多数の孔１２２，１２２・・からシーリング材１０８が圧出されることで、目地の防水処理をおこなうものである（図１４）。ここで、シーリング材１０８は、一対のシール舌片１２０ａ，１２０ｂと目地溝の内側壁Ｗとで囲繞される空間Ｓ１に充填され、残りのシーリング材１０８は目地溝の口部側のシール舌片１２０ａを押し広げて目地基材１０６の係止鍔部１２３と該シール舌片１２０ａとの間の空間Ｓ２に流入するので、目地の幅のばらつきによってシーリング材１０８が目地材１０２の外側にはみ出すようなことがない。（例えば特開平１１−１４０９９７号公報参照。）
【００１０】
上記従来技術によれば、建築物の内側から外側に向ける方向へ目地材１０２を挿入することで目地の防水処理を行うため、建物の外側に少なくとも作業者が作業可能な作業空間を確保する必要がなくなる。また、目地の幅のばらつきに対応して余分なシーリング材１０８の収容域を確保しているので、芯材１１０の圧入によってシーリング材１０８が目地材１０２の外側にはみ出すことがなく、シーリング材１０８が流動して、目地の幅に少々ばらつきにある場合でも目地の防水処理を行うことができる。
【００１１】
【発明が解決しようとする課題】
しかし、定型の目地基材を目地に室内側から室外側に向けて挿入する方法によると、例えば外壁パネルの取付誤差が発生し、外壁パネルを室外側から見た場合に、目地がハの字、又は逆ハの字になって目地の上側の幅と下側の幅が大きく異なっている場合などには、シール舌片１２０ａ，１２０ｂと目地溝の内側壁Ｗとの間の支圧力が十分に得られない個所が存在することになる。このような状態では、十分な防水効果を得ることができず、外壁パネルの取付誤差に十分対応できないという不都合がある。さらに、軟質合成樹脂からなる目地基材１０６が直接太陽光にあたると、経年による耐久性に難があるという問題点があった。
【００１２】
本発明の目的は、外壁パネルの取付誤差により生じる目地幅のばらつきに十分対応できる外壁パネルにおける目地の防水装置を提供することにある。
【００１３】
【課題を解決するための手段】
上記課題は、本発明請求項１に係る外壁パネル間の目地に防水処理を施すための目地の防水装置であって、該防水装置は外壁パネルと、帯状板材からなる止水プレートと、該止水プレートを前記外壁パネルに装着するためのガスケットと、から構成され、前記ガスケットは側面に開口を備え、断面がコの字形状のガスケット基部と、該ガスケット基部における対向する内側面それぞれから突出する可撓性の止水ビードとから構成され、前記ガスケット基部における開口が前記外壁パネルの側端方向を向いて前記外壁パネルの側端近傍に固着され、前記外壁パネルは前記ガスケット同士が対向する位置に配設され、前記止水プレートは、幅方向中央部が幅方向両端部よりも室内側に位置するように湾曲しており、前記止水ビードを屈曲させた状態で、対向する位置に配置された前記ガスケットに挿入されることにより前記ガスケットに装着されていることで解決される。
【００１８】
すなわち、対向する位置に配設されたガスケットに止水プレートが装着された防水装置であるため、目地の幅が基準値より大幅にずれた場合でも十分な防水効果を発揮することができるものである。また、止水プレートは、幅方向中央部が幅方向両端部よりも室内側に位置するように湾曲しているので、凸形状を有することになり、止水プレートが比較的薄くても止水プレートの凸方向への剛性を向上させて施工時のハンドリング性を向上でき、さらに凹方向へ丸めることもできるため運搬等に好都合である。
【００１９】
さらに、前記ガスケット基部における対向する前記内側面それぞれから突出する前記止水ビードは、前記内側面間の距離の半分以上の長さで、かつ前記内側面間の距離よりも短い長さで突出して形成されると好適である。
【００２０】
すなわち、止水ビードの長さが内側面間の距離の半分以上の長さを備えるようにすることにより、止水ビードと止水プレートとの接触面積を広くして、止水能力をより高くすることが可能になる。
【００２１】
【発明の実施の形態】
本発明は、外壁パネル２０間の目地Ｍに防水処理を施すための目地Ｍの防水装置に関するものである。
【００２２】
ところで、外壁パネル２０間の目地Ｍに防水処理を施すための乾式防水工法における工程は次の通りである。先ず、側端部近傍にガスケット３０を備えた外壁パネル２０をガスケット３０同士が対向して目地Ｍに臨むように立設固定する外壁パネル立設工程を行う。次に、外壁パネル２０の対向したガスケット３０に止水プレート１０を挿入する止水プレート挿入工程を行う。そして、外壁パネル２０間にガスケット３０を介して止水プレート１０を装着させることにより外壁パネル２０間の目地Ｍに防水処理を施す。
【００２３】
なお、止水プレート挿入工程は、止水プレート１０を外壁パネル２０の上端側に位置するガスケット３０の上端から外壁パネル２０の下端側に位置するガスケット３０の下端に向けて挿入する工程として、止水プレート１０の装着完了時に下端となる近傍に係合部１１を形成し、係合部１１に引張部材６０を係止させ、引張部材６０を目地Ｍに沿って下方に牽引させて行うと好適である。
【００２４】
さらに、本発明の目地の防水装置は、外壁パネル２０と、ガスケット３０と、止水プレート１０と、から構成され、ガスケット３０は側面に開口３１ａを備え、断面がコの字形状のガスケット基部３１と、ガスケット基部３１における対向する内側面３１ｂ，３１ｂそれぞれから突出する可撓性の止水ビード３２とから構成され、ガスケット基部３１における開口３１ａが外壁パネル２０の側端方向を向いて外壁パネル２０の側端近傍に固着され、外壁パネル２０はガスケット３０同士が対向する位置に配設され、止水プレート１０は止水ビード３２を屈曲させた状態で、対向する位置に配置されたガスケット３０に装着されている。
【００２５】
また、上記外壁パネル２０は、外壁パネル２０の表面を構成する面材２１と、面材２１の裏面に固着される下地２２と、該下地に固着されるパネルフレーム２３と、ガスケット３０と、を備える外壁パネル２０であって、下地２２は下地２２の端部２２ａが面材２１の端部２１ａより内側に位置するように面材２１の裏面に固着され、パネルフレーム２３は下地２２の裏面に固着され、ガスケット３０は側面に開口３１ａを備え、断面がコの字形状のガスケット基部３１と、ガスケット基部３１における対向する内側面３１ｂ，３１ｂそれぞれから突出する可撓性の止水ビード３２とから構成され、コの字形状のガスケット基部３１における開口３１ａが外壁パネル２０の側端方向を向いて外壁パネル２０の側端近傍に固着されている。
【００２６】
【実施例】
以下、本発明の一実施例を図面に基づいて説明する。なお、以下に説明する部材，配置等は本発明を限定するものでなく、本発明の趣旨の範囲内で種々改変することができるものである。
【００２７】
図１，図２，図３，図４は本発明に係る実施例を示すものであり、図１は目地の乾式防水工法を示す説明図、図２は目地の防水装置を示す説明図、図３は外壁パネル２０の斜視図、図４は外壁パネル２０を室内側から見たときの平面図である。
【００２８】
本実施例の外壁パネル２０は、図３，図４に示すように、外壁パネルの表面を構成する面材２１と、下地２２と、パネルフレーム２３と、ガスケット３０とから構成されている。本実施例において、下地２２は下地２２の端部２２ａが面材２１の端部２１ａより内側に位置するように面材２１の裏面に固着されている。パネルフレーム２３はパネルフレーム２３の端部２３ａが面材２１の端部２１ａより内側で、かつ下地２２の端部２２ａよりも外側に位置するように下地２２の裏面に固着されている。ガスケット３０は面材２１と下地２２とパネルフレーム２３に当接した状態で外壁パネル２０の側端近傍に固着されている。
【００２９】
本実施例においては、下地２２を介して面材２１とパネルフレーム２３とがビス或いは接着剤等の接合手段により固着される。面材２１はセラミック系の外壁材や、耐水合板等から形成されている。また、パネルフレーム２３は、例えば断面がコの字形状の金属製の長尺部材を溶接等で矩形に枠組みすることにより形成されている。矩形に枠組みされたパネルフレーム２３に囲まれる空間にはグラスウールや、発泡ウレタン等からなる断熱材が充填される。
【００３０】
なお、図４の破線で示すように、矩形に枠組みされたパネルフレーム２３の内側に金属製の長尺部材であるブレース２４を溶接等により固着してパネルフレーム２３の強度を向上させると好適である。また、上記実施例では、パネルフレーム２３の端部２３ａが面材２１の端部２１ａより内側に位置するように、パネルフレーム２３が固着される例を示したが、後述する外壁パネル立設工程おける、外壁パネル２０の固定方法に応じて、パネルフレーム２３の固着位置を改変可能である。例えば、外壁パネル２０を室内側から見たときに、パネルフレーム２３の端部２３ａと面材２１の端部２１ａがほぼ同一位置に配置されるように固着されるものであっても良い。
【００３１】
ガスケット３０は、外壁パネル２０間の目地Ｍにおいて防水を行うための止水プレート１０を外壁パネルに装着するための部材であり、例えばＰＶＣ等の軟質の合成樹脂から形成される。
【００３２】
本実施例のガスケット３０は図３に示すように、側面に開口３１ａを備え、断面がコの字形状のガスケット基部３１と、コの字形状のガスケット基部３１から突出する複数の可撓性の止水ビード３２とから構成される。止水ビード３２はガスケット基部３１における対向する内側面３１ｂ，３１ｂそれぞれから突出するもので、内側面３１ｂ，３１ｂ間の距離の半分以上の長さで、かつ内側面間の距離よりも短い長さで突出して形成される。止水ビード３２の長さが内側面３１ｂ，３１ｂ間の距離の半分以上の長さを備えるようにするのは、止水ビード３２と止水プレート１０との接触面積を広くして、止水能力をより高くするためである。本実施例においては、ガスケット基部３１の対向する内側面３１ｂ，３１ｂからそれぞれ２枚づつ、合計４枚の止水ビード３２が突出して設けられている。
【００３３】
このため、本実施例においては、対抗する内側面３１ｂ，３１ｂから突出する止水ビード３２同士が接触しないように４枚の止水ビード３２は互い違いになる位置から突出しているが、対抗する内側面３１ｂ，３１ｂから突出する止水ビード３２同士が僅かに接すように突出していてもよい。また、互い違いの位置から突出するのではなく、対抗する内側面３１ｂ，３１ｂの対向位置から突出したものであってもよい。
【００３４】
本実施例の止水ビード３２の形状は先細りの形状を備えるものであるが、断面が矩形のものであってもよい。また、止水ビード３２の長さは、内側面３１ｂ，３１ｂ間の距離の半分以上の長さに満たなくても、止水プレート１０の厚みを考慮して、４枚の止水ビード３２が止水プレート１０と確実に接点をもつことができる長さを備えていればよい。
【００３５】
上記構成のガスケット基部３１，止水ビード３２を備えるガスケット３０は、ガスケット基部３１における開口３１ａが外壁パネル２０の側端方向を向くように、面材２１と下地２２とパネルフレーム２３に当接した状態で外壁パネル２０の側端部近傍に固着される。ガスケット３０と面材２１、下地２２、パネルフレーム２３とは接着剤やテープ等で固着されるもので、本実施例においてはブチルテープにより固着されることで、ガスケット３０と面材２１、下地２２、パネルフレーム２３との間が止水されている。
【００３６】
本実施例では、ガスケット３０は面材２１、下地２２、パネルフレーム２３と共に外壁パネル２０を構成する一部材として工場などの製造施設で組み込まれるものである。このため、建物等に外壁パネル２０を設置する現場でガスケット３０の装着作業を行う場合に比べて、ガスケット３０を備えた均一でより高品質な外壁パネル２０を提供することができる。
【００３７】
なお、図７に示すようにガスケット基部３１の面材２１と接する面及びパネルフレーム２３と接する面に止水ビード３２を設けて、ガスケット３０と下地２２の間へ水が流入するのを防ぐようにしてもよい。また、図８に示すように、パネルフレーム２３の端部２３ａに沿って延設する延設部３３をガスケット３０に設け、パネルフレーム２３とガスケット３０とを延設部においてネジ等の固着具で固着できるように形成してもよい。このように形成することで、ガスケット３０がパネルフレーム２３と強固に固着され、経年による万一の脱落を防止することができる。また、上記実施例では、４枚の止水ビード３２を備えるガスケット３０を示したが、図９に示すように止水ビード３２の数を増やして防水効果をさらに高めても良い。
【００３８】
止水プレート１０は帯状の板材でガスケット３０への挿入時に挿入抵抗に耐えられる厚さを備えている。本実施例では、止水プレート１０の材料はステンレスであるが、それ以外にも、他の金属に防錆処理を施したものや、合成樹脂等を用いてもよい。また、本実施例の止水プレート１０は滑らかな凸形状を有している。このように止水プレート１０が凸形状を有するため止水プレート１０が比較的薄くても止水プレート１０の凸方向への剛性を向上させて施工時のハンドリング性を向上でき、さらに凹方向へ丸めることもできるため運搬等に好都合である。
【００３９】
なお、止水プレート１０の上端を図６のように屈曲加工しておくことで、止水プレート１０がガスケット３０に挿入されたときに、外壁パネル２０の上端で止水プレート１０を掛止することができる。また、上記実施例では止水プレート１０が一方向へ曲げられて凸形状を形成している例を示したが、意匠性を考慮して、図１０や図１１に示す断面形状を有する止水プレート１０としても良い。また、図１２に示すように単なる矩形断面の帯状のプレートとして止水プレート１０の加工コストを抑えても良い。
【００４０】
図１に示すように、本実施例における、外壁パネル２０間の目地Ｍに防水処理を施すための乾式防水工法は、外壁パネル立設工程と、止水プレート挿入工程とによって次のように行われる。
【００４１】
先ず、上記構成を有するガスケット３０を備えた外壁パネル２０を立設固定する外壁パネル立設工程を行う。本実施例における外壁パネル立設工程では、建物等に予め固定されている柱部材４０の両側面を複数枚の外壁パネル２０のパネルフレーム２３で挟むように外壁パネル２０と柱部材４０とがボルトで固着されるが、その他の治具を用いて固着されるものであってもよい。このとき図１に示すように、隣り合った外壁パネル２０のガスケット３０同士が対向して目地Ｍに臨むように外壁パネル２０が立設固定される。
【００４２】
本実施例における外壁パネル立設工程では、予め建物等に固定されている柱部材４０と外壁パネル２０を固着する方法で、外壁パネル２０を固定する例を示したが、それ以外の方法で外壁パネル２０を固定してもよい。例えば、外壁パネル２０の上下を支持するためのランナーを建物等に予め固定しておき、そのランナーに対して外壁パネル２０を仮固定した後に、パネルフレーム２３間に建物等に固定される柱部材４０を挿入して、柱部材４０とパネルフレーム２３とをボルト等の固着具で固着することで外壁パネル２０を建物等に固定する方法がある。他にも、外壁パネル２０間に柱部材４０を設けずにランナーだけで外壁パネル２０を建物等に固定し、隣接する外壁パネル２０のパネルフレーム２３同士を直接ボルト等の固着具で固定する方法がある。
【００４３】
なお、外壁パネル立設工程では外壁パネル２０を完全に建物等に固着するのではなく、仮固定だけを行い、後述の止水プレート挿入工程を終えた後に柱部材４０とパネルフレーム２３を固着することで完全に建物等に外壁パネル２０を固着するようにしてもよい。
【００４４】
次に、対向したガスケット３０に止水プレート１０を挿入する止水プレート挿入工程を行う。本実施例における止水プレート挿入工程では、止水プレート１０の挿入は既に立設固定されている外壁パネル２０の上端側に位置するガスケット３０の上端から外壁パネル２０の下端側に位置するガスケット３０の下端に向けて行う。このとき、止水プレート１０の凸側が外壁パネル２０の室内側を向くようにして行われる。
【００４５】
上記乾式防水工法によれば、止水プレート１０をガスケット３０に挿入するだけで、目地の室外側と室内側が完全に遮断され外壁パネル２０の目地Ｍにおける防水処理を行うことができる。したがって、目地Ｍの防水処理を室内側から容易に行うことができるため、室外に足場を組む必要がなくなり狭小敷地や障害物が建物のすぐそばにある場合でも防水処理を行うことができる。また、止水プレート挿入工程は特別な技能を必要としない工程であるため、施工者の技量に影響されずに安定した防水効果を発揮することができる。さらに、止水プレート１０をガスケット３０に挿入するだけであるため、例えばリフォームの際に外壁パネル２０や止水プレート１０を容易に取外すことができる。
【００４６】
なお、止水プレート１０の挿入は手作業で行ってもよいが、外壁パネル２０が上下方向に長い距離で連続して設置されるような場合は、止水プレート１０の挿入時のガスケット３０からの抵抗が大きくなるため、止水プレート１０挿入用の道具を用いて行うと効率的である。例えば図５に示すように、止水プレート１０をガスケットに装置したときに下端となる近傍に係合部１１を形成し、その係合部１１に引張部材６０を係止する。そして、引張部材６０を目地Ｍの上端から下端に通しておき、その引張部材６０を外壁パネル２０の下側から目地に沿って下方に張線機５１で牽引することで容易に止水プレート１０を装着できる。もちろん、張線機５１ではなく人力により引張部材６０を牽引してもよい。
【００４７】
本実施例では、係合部１１は止水プレート１０に溶接や接着剤又はボルト等でＬ字状のフック部材を固着したものであるが、その他に止水プレートの端部の一部分を折り曲げて係合部１１を形成してもよい。また、引張部材６０は公知のステンレス製のワイヤーを用いている。張線機５１は引張部材６０を牽引することができればどのようなものでもかまわないが、施工現場が狭い空間となることを考えれば、できるだけ小型のものを使用するとよい。例えばステンレス製のワイヤーを引くためのラチェット機能を有する公知の張線機５１がある。
【００４８】
また、ワイヤーを牽引する作業を容易に行えるように張線用の器具を用いるとよい。例えば、図５に示すような、張線機５１と竿部材５２とローラ５３と竿支持部材５４から構成される張線支援具５０がある。張線支援具５０は竿部材５２の先端付近にローラ５３を軸着し、竿部材５２の手元付近に小型の張線機５１を固定した構成で、張線支援具５０を固定するための竿支持部材５４を備えている。
【００４９】
本実施例では、ローラ５３が目地の下端付近に配置されるように、竿支持部材５４を用いて外壁パネル２０を載置している載置部材４１に張線支援具５０が固定される。なお、張線支援具５０はパネルフレーム２３に固定されるようにしてもよい。そして、一端が係合部１１に係止された引張部材６０を、ローラ５３を介して張線機５１で巻き取ることで牽引し、止水プレート１０をガスケット３０の上端から下端に向けて挿入する。このように引張部材６０を用いて止水プレート挿入工程を行うことで、止水プレート１０をガスケット３０に挿入する際のガスケット３０からの抵抗が大きい場合でも、容易に止水プレート１０をガスケット３０に挿入することができる。
【００５０】
上記した乾式防水工法以外でも、外壁パネル２０間の目地Ｍに防水処理を施すことができる。
上記した乾式防水工法では外壁パネル立設工程の次に止水プレート挿入工程にを行う工法であったが、本実施例においては、一枚の外壁パネル２０を立設する作業と一枚の止水プレート１０をガスケット３０に挿入する作業を次のように交互に行うものである。
【００５１】
先ず、一枚の外壁パネル２０を立設固定する。この場合も、上記したように予め建物等に固定されている柱部材４０に対して外壁パネル２０を固着してもよいし、外壁パネル２０の上下を支持するためのランナーを建物等に予め仮固定しておき、そのランナーに対して外壁パネル２０を仮固定した後に、パネルフレーム２３の横に建物等に固定される柱部材４０を挿入して、柱部材４０とパネルフレーム２３を固着してもよい、また外壁パネル２０に柱部材４０を設けずにランナーだけで外壁パネル２０を建物等に固定してもよい。上記実施例との違いは一度に複数枚の外壁パネル２０を建物等に固定するのではなく、一枚だけ外壁パネル２０を固定する点である。
【００５２】
次に、固定された外壁パネル２０のガスケット３０に、ガスケット基部３１の開口３１ａ側から止水プレート１０の一側端を挿入する。
そして、止水プレート１０の挿入を終えた後に、別の外壁パネル２０を既に固定されている外壁パネル２０の横に固定すると同時に止水プレート１０の他の側端を新たに固定する外壁パネル２０のガスケット３０に挿入する。本実施例では、この作業を繰り返すことによって、外壁パネル２０間の目地Ｍに止水プレート１０を装着して防水処理を施していくものである。
【００５３】
このように、ガスケット３０の横方向から止水プレート１０を挿入することで、ガスケット３０の上端から下端に向けて止水プレート１０を挿入する作業を行う場合に比べ、１枚の止水プレート１０を挿入する作業に要する時間を短縮することができる。
【００５４】
上記した乾式防水工法により形成される本実施例における目地の防水装置は、例えば図２に示す構成となっている。すなわち、本実施例における防水装置は、上記構成を備える外壁パネル２０とガスケット３０と止水プレート１０から構成される。
【００５５】
止水プレート１０はガスケット基部３１から突出した止水ビード３２を屈曲させた状態でガスケット３０に装着される。このとき、止水プレート１０はガスケット基部３１の対向する内側面３１ｂ，３１ｂから突出する第１止水ビード３２ａ，第２止水ビード３２ｂと第３止水ビード３２ｃ，第４止水ビード３２ｄとの間に装着される。このように止水プレート１０がガスケット３０に装着されることで、止水ビード３２と止水プレート１０との間に支圧力が生じ、この支圧力により止水プレート１０とガスケット３０との間に水が流入することを抑制する。
【００５６】
本実施例における防水装置では、ガスケット基部３１の開口３１ａから最も離れた位置に突出する第２止水ビード３２ｂが止水プレート１０の端部に最も近い位置で止水プレート１０と接触する。したがって、第２止水ビード３２ｂと止水プレート１０との接触部から止水プレート１０の端部までのクリアランスＣ１、及びガスケット基部３１における開口３１ａに対向する内側面から第２止水ビード３２ｂの突出位置までのクリアランスＣ２を長くとることで、外壁パネル２０の取り付け誤差により、目地Ｍの幅に大きな差異が生じた場合でも、その誤差に十分対応した安定した防水効果を発揮できる。
【００５７】
例えば、外壁パネル２０を室外側から見た時に、目地Ｍがハの字になって目地Ｍの上側の幅と下側の幅が大きく異なるような誤差が生じることがある。この場合、目地Ｍの下端付近では目地Ｍの幅が広くなるが、クリアランスＣ１の範囲内であれば第２止水ビード３２ｂと止水プレート１０とが接することができる。また、目地Ｍの上端付近では目地Ｍの幅が狭くなるが、クリアランスＣ２の範囲内であれば止水プレート１０を目地Ｍに挿入することができる。つまり、クリアランスＣ１、クリアランスＣ２を広く設計しておくことで、目地の幅が基準値より大幅にずれた場合でも十分な防水効果を発揮することができるものである。
【００５８】
さらに、止水プレート１０がガスケット３０に挿入された状態において、止水プレート１０とガスケット基部３１及び止水ビード３２で囲まれる一次減圧空間３４ａ，二次減圧空間３４ｂ，三次減圧空間３４ｃが形成されることで、水がガスケット３０と止水プレート１０との接触部から室内に侵入しようとしても、３つの減圧空間の圧力低下作用により室内にまで水が侵入することを防ぐことができ、高い防水効果を得ることができる。
【００５９】
ここで、一次減圧空間３４ａ，二次減圧空間３４ｂ，三次減圧空間３４ｃによる圧力低下作用について説明する。例えば、室外側から止水プレート１０に高圧で吹き付けられた雨水が、第１止水ビード３２ａと止水プレート１０との接触部に微小な隙間をこじあけて一次減圧空間３４ａに入り込むときを考える。この場合、微小な隙間から進入する雨水は、その隙間よりもはるかに広い一次減圧空間３４ａに入り込むことで、圧力を低下することになる。
【００６０】
すなわち、室外側から高圧で吹き付けられる雨水の圧力は、一次減圧空間３４ａで低下することになる。そして、一次減圧空間３４ａに入り込んだ雨水が、さらに第２止水ビード３２ｂと止水プレート１０との接触部から二次減圧空間３４ｂに入り込むような圧力を維持していたとしても、雨水の圧力は二次元圧空間に入り込むことで、一次減圧空間に雨水が入り込んだときと同様の原理で低下されることになる。三次元圧空間３４ｃも、一次減圧空間３４ａや二次元圧空間３４ｂと同様の圧力低下作用を発揮する。つまり、本実施例では３つの減圧空間の圧力低下作用により、高い防水効果を得ることができるのである。
【００６１】
また、本実施例のＰＶＣ等の軟質合成樹脂からなるガスケット３０は面材２１の裏面側に固着され、直接に太陽光を受けにくい構成となっているため経年による劣化の心配が少ない。
【００６２】
【発明の効果】
以上のように上述の目地の乾式防水工法によれば、止水プレートをガスケットに装着するだけで、室外側と室内側が完全に遮断され外壁パネルの目地における防水処理を行うことができる。したがって、目地の防水処理を室内側から容易に行うことができるため、室外に足場を組む必要がなくなり狭小敷地や障害物が建物のすぐそばにある場合でも防水処理を行うことができる。また、特別な技能を必要としない工法であるため、施工者の技量に影響されずに安定した防水効果を発揮することができる。さらに、止水プレートをガスケットに装着する際に引張部材を用いることで、止水プレートをガスケットに挿入する際のガスケットからの抵抗が大きい場合でも、容易に止水プレートをガスケットに挿入することができる。
【００６３】
また、本発明の目地の防水装置は、対向する位置に配設されたガスケットに止水プレートが装着された防水装置であるため、目地の幅が基準値より大幅にずれた場合でも十分な防水効果を発揮することができるものである。また、ガスケットは面材の裏面側に固着され、直接に太陽光を受けにくい構成となっているため経年による劣化の心配が少ない。さらに、止水プレートは、幅方向中央部が幅方向両端部よりも室内側に位置するように湾曲しているので、凸形状を有することになり、止水プレートが比較的薄くても止水プレートの凸方向への剛性を向上させて施工時のハンドリング性を向上でき、さらに凹方向へ丸めることもできるため運搬等に好都合である。
【００６４】
また、上述の外壁パネルによれば、ガスケットは面材、下地、パネルフレームと共に外壁パネルを構成する一部材として工場などの製造施設で組み込むことができるため、建物等に外壁パネルを設置する現場でガスケットの装着作業を行う場合に比べて、ガスケットを備えた均一でより高品質な外壁パネルを提供することができる。
【図面の簡単な説明】
【図１】  本実施例の目地の乾式防水工法を示す説明図である。
【図２】  本発明の目地の防水装置を示す説明図である。
【図３】  本実施例の外壁パネルの斜視図である。
【図４】  本実施例の外壁パネルの平面図である。
【図５】  本実施例の目地の乾式防水工法を示す説明図である。
【図６】  他の形状の止水プレートを示す説明図である。
【図７】  他の形状のガスケットを示す説明図である。
【図８】  他の形状のガスケットを示す説明図である。
【図９】  他の形状のガスケットを示す説明図である。
【図１０】  他の形状の止水プレートを示す説明図である。
【図１１】  他の形状の止水プレートを示す説明図である。
【図１２】  他の形状の止水プレートを示す説明図である。
【図１３】  従来例を示す説明図である。
【図１４】  従来例を示す説明図である。
【符号の説明】
１０  止水プレート
１１  係合部
２０  外壁パネル
２１  面材
２１ａ  面材の端部
２２  下地
２２ａ  下地の端部
２３  パネルフレーム
２３ａ  パネルフレームの端部
２４  ブレース
３０  ガスケット
３１  ガスケット基部
３１ａ  開口
３１ｂ  内側面
３２  止水ビード
３２ａ  第１止水ビード
３２ｂ  第２止水ビード
３２ｃ  第３止水ビード
３２ｄ  第４止水ビード
３３  延設部
３４ａ  一次減圧空間
３４ｂ  二次減圧空間
３４ｃ  三次減圧空間
４０  柱部材
４１  載置部材
５０  張線支援具
５１  張線機
５２  竿部材
５３  ローラ
５４  竿支持部材
６０  引張部材
１０２  目地材
１０６  目地基材
１０８  シーリング材
１１０  芯材
１１２  蓋体
１１４  側板
１１６  口部
１２０ａ，１２０ｂ  シール舌片
１２２  孔
１２３  係止鍔部
Ｃ１，Ｃ２  クリアランス
Ｍ  目地
Ｓ１  空間
Ｓ２  空間
Ｗ  内側壁
【図１】
0004809555.tif 000002
【図２】
0004809555.tif 000003
【図３】
0004809555.tif 000004
【図４】
0004809555.tif 000005
【図５】
0004809555.tif 000006
【図６】
0004809555.tif 000007
【図７】
0004809555.tif 000008
【図８】
0004809555.tif 000009
【図９】
0004809555.tif 000010
【図１０】
0004809555.tif 000011
【図１１】
0004809555.tif 000012
【図１２】
0004809555.tif 000013
【図１３】
0004809555.tif 000014
【図１４】
0004809555.tif 000015